(57)【要約】  原子核スピンの高偏極化方法は、主磁場形成部により一様な静磁場が形成された空間に配置され、固体の安息香酸誘導体にペンタセン誘導体が添加された試料に、レーザ光源から光を試料に照射するステップと、光照射に続き、掃引磁場の印加とともにマイクロ波源からマイクロ波を試料に照射するステップと、掃引磁場印加、光照射及びマイクロ波照射を繰返した後、試料中の安息香酸誘導体を溶解させるステップとを含む。これにより、原子核スピンが高偏極化された安息香酸誘導体を含む水溶液を生成することができる。
2019039477.tif 000002
【特許請求の範囲】
【請求項１】
一様な静磁場が形成された空間に配置された試料に、光を照射する光照射ステップと、
前記光照射ステップに続き、前記試料に掃引磁場を印加中に、前記試料にマイクロ波を照射するマイクロ波照射ステップとを含み、
前記試料は、固体の安息香酸誘導体にペンタセン誘導体が添加された試料であり、
前記光照射ステップ及び前記マイクロ波照射ステップを繰返した後、前記試料中の安息香酸誘導体を溶解させて溶液を生成する溶解ステップをさらに含む原子核スピンの高偏極化方法。
【請求項２】
前記試料は、安息香酸誘導体に可溶な可溶性物質がさらに添加され、
前記溶解ステップにおいて、前記試料中の安息香酸誘導体及び前記可溶性物質を溶解させる、請求項１に記載の原子核スピンの高偏極化方法。
【請求項３】
前記試料中のペンタセン誘導体以外の物質のうち、少なくとも１つの物質は、核スピンがゼロでない炭素、酸素及び窒素の同位体のうち、少なくとも１つの同位体を含む、請求項１に記載の原子核スピンの高偏極化方法。
【請求項４】
前記光照射ステップ及び前記マイクロ波照射ステップを繰返した後、前記溶解ステップを行なう前に、交差偏極により前記試料中のペンタセン誘導体以外の物質の水素核スピンの偏極を、前記同位体の核スピンに移動させる核スピン偏極ステップを、さらに含む、請求項３に記載の原子核スピンの高偏極化方法。
【請求項５】
前記溶解ステップにおいて、弱酸遊離を引き起こす分子又はｐＨ調整用の分子の水溶液により、前記試料中のペンタセン誘導体以外の物質を溶解させ、前記溶液を生成する、請求項１に記載の原子核スピンの高偏極化方法。
【請求項６】
前記溶液を固化させて、固体物質を生成する再固化ステップと、
交差偏極により、前記固体物質中の安息香酸誘導体の原子核スピンの偏極を、前記水溶液に含まれる、弱酸遊離を引き起こす前記分子又はｐＨ調整用の前記分子の原子核スピンに移動させる核スピン移動ステップと、
前記核スピン移動ステップの後、前記固体物質を液化させる液化ステップとを、さらに含む、請求項５に記載の原子核スピンの高偏極化方法。
【請求項７】
一様な静磁場が形成された空間に配置された試料に、光を照射する光照射ステップと、
前記光照射ステップに続き、前記試料に掃引磁場を印加中に、前記試料にマイクロ波を照射するマイクロ波照射ステップとを含み、
前記試料は、安息香酸誘導体と、安息香酸誘導体以外のパートナー分子とを混合して生成した混合物にペンタセン誘導体が添加された試料であり、
前記光照射ステップ及び前記マイクロ波照射ステップを繰返した後、前記試料中の安息香酸誘導体及びパートナー分子を溶解させて溶液を生成する溶解ステップをさらに含む、原子核スピンの高偏極化方法。
【請求項８】
前記パートナー分子は、安息香酸誘導体以外のカルボン酸、又は、安息香酸誘導体と塩を形成する塩基であり、
前記混合物は、共結晶状若しくは共晶状の多結晶試料、又は、アモルファス状試料である、請求項７に記載の原子核スピンの高偏極化方法。
【請求項９】
前記試料は、前記混合物に可溶な可溶性物質がさらに添加され、
前記溶解ステップにおいて、前記試料中の安息香酸誘導体、パートナー分子、及び可溶性物質を溶解させる、請求項７に記載の原子核スピンの高偏極化方法。
【請求項１０】
前記溶解ステップにより生成された溶液に、核スピンを高偏極化させる対象である対象物質を溶解させるステップと、
前記対象物質が溶解された溶液を固化させて、固体物質を生成する再固化ステップと、
スピン拡散により、前記固体物質中の安息香酸誘導体の原子核スピンの偏極を、前記対象物質中の原子核スピンに移動させるターゲット核スピン偏極ステップと、
前記ターゲット核スピン偏極ステップの後、前記固体物質を液化させる液化ステップとを、さらに含む、請求項１に記載の原子核スピンの高偏極化方法。
【請求項１１】
前記再固化ステップにおいて、前記対象物質が溶解された溶液を凍結させることにより前記固体物質を生成し、
前記液化ステップにおいて、凍結された前記固体物質を、加熱することにより液化させる、請求項１０に記載の原子核スピンの高偏極化方法。
【請求項１２】
前記対象物質は、カルボン酸系化合物、アミノ基を有する化合物、糖、生体内分子、又は医薬品分子である、請求項１０に記載の原子核スピンの高偏極化方法。
【請求項１３】
トリプレットＤＮＰにより試料中の原子核スピンを高偏極化するための装置であって、
静磁場を形成する磁場形成部と、
前記静磁場が形成された領域に配置された前記試料に光を照射する光照射部と、
前記静磁場が形成された領域に配置された前記試料にマイクロ波パルスを照射するマイクロ波照射部と、
前記光照射部及び前記マイクロ波照射部を制御する制御部と、
前記制御部は、前記光照射部及び前記マイクロ波照射部を制御して、トリプレットＤＮＰにより前記試料中の原子核スピンを高偏極化させ、
前記光照射部は、波長が４００ｎｍ以上６００ｎｍ以下の範囲に含まれる非コヒーレントな光を出力する、原子核スピンの高偏極化装置。
【請求項１４】
前記マイクロ波照射部は、固体高出力増幅器と、前記静磁場が形成される領域に配置された、空洞共振器とは異なる共振器とを含み、
前記光照射部は、前記共振器の内部に配置された前記試料に光を照射し、
前記マイクロ波照射部は、前記共振器の内部に配置された前記試料に、前記固体高出力増幅器によりマイクロ波パルスを増幅して照射する、請求項１３に記載の原子核スピンの高偏極化装置。
【請求項１５】
前記共振器は、誘電体共振器又はループギャップ共振器である、請求項１４に記載の原子核スピンの高偏極化装置。
【発明の詳細な説明】
【技術分野】
【０００１】
本発明は、原子核スピンを高度に偏極させるための方法及び装置に関し、特に、トリプレットＤＮＰを利用した原子核スピンの高偏極化方法及び高偏極化装置に関する。
【背景技術】
【０００２】
ＮＭＲ分光は化学分析において、ＭＲＩは医療診断において、それぞれなくてはならないツールである。これらの感度を向上できる方法の一つである動的核偏極（以下、ＤＮＰ（Ｄｙｎａｍｉｃ  Ｎｕｃｌｅａｒ  Ｐｏｌａｒｉｚａｔｉｏｎ）ともいう）が近年盛んに研究されている。【０００３】
ＮＭＲ分光及びＭＲＩでは、強い静磁場の下で物質中の原子核スピン（以下、単に核スピンともいう）を精密に制御し、核スピン間の相互作用等により変調された電磁波信号（ＮＭＲ信号）から分子レベルの豊富な情報を読出す。ＮＭＲ信号の感度は偏極率に比例するが、超電導磁石によって印加される数Ｔ（テスラ）から数十Ｔの強磁場の下でも、核スピンのゼーマンエネルギーは非常に低い。このゼーマンエネルギーは、室温の熱エネルギーより５桁も小さいため、核スピンの向きが静磁場の方向に偏っている割合（偏極率）は１０−５〜１０−６（０．００１〜０．０００１％）程度と極めて低く、共鳴する核スピンのうち検出信号に寄与する核スピンの割合は極めて小さい。したがって、ＮＭＲ分光及びＭＲＩの感度を向上するには、核スピンの偏極率を高くすることが重要である。本明細書において「高偏極」とは、原子核スピンの偏極率が室温における偏極率を超える状態を意味する。【０００４】
ＤＮＰでは、試料に偏極源となるフリーラジカル分子を混合させ、その試料を極低温にした後、マイクロ波を照射することにより、試料中の原子核スピンの偏極率を向上させる。これにより、ＮＭＲ信号が増大し、ＮＭＲ分光及びＭＲＩの高感度化が可能になる。ＤＮＰは、化学分析においても使用され、微量試料の解析、物質の界面分析、並びに、蛋白質の機能及び構造解析等の様々な応用研究がなされている。また、ＤＮＰによる高偏極化後に試料を溶解して体内に注射し、その代謝をイメージングすることにより、がん治療の効果判定を行なうという医療応用が実用化されている。【０００５】
従来のＤＮＰによる高偏極化技術では、試料中に少量添加されたラジカル分子の不対電子スピンを、熱平衡化という古典的な過程で偏極し、ＤＮＰを行なうので、水素核スピンの偏極率を、理論的に室温の偏極率の６６０倍を超える値にすることができない。そこで、数％から数十％の核スピン偏極率を得るために、１Ｋ近くの極低温及び３Ｔを超える高磁場下においてＤＮＰが行なわれていた。そのため、ＤＮＰのための装置は、高額かつ大型である問題があった。【０００６】
これを解決する方法として、分子の光励起三重項状態の電子スピンを偏極源に用いるトリプレットＤＮＰが知られている（下記特許文献１〜３参照）。ペンタセンなどのπ共役分子を光励起すると、電子スピンが励起され、その後一部の電子スピンは項間交差で励起三重項状態に遷移する。この状態では電子スピンは、量子的な過程で自発的に数十％に偏極する。この現象は温度及び磁場には関係しないので、これを偏極源に利用すると室温及び低磁場においても、核スピンの偏極率を、熱限界である室温の偏極率の６６０倍以上に高偏極化させることができる。【０００７】
トリプレットＤＮＰで高偏極化できる試料に関しては、ｐ−ターフェニルを代表として、固体で水に難溶なものしか知られていなかった。このことが、トリプレットＤＮＰを化学分析応用又は医療応用する上での妨げになっていた。これを解決するために、下記特許文献４には、種々の溶媒に可溶な、特定のペンタセン誘導体を用いる方法が開示されている。
【先行技術文献】
【特許文献】
【０００８】
【特許文献１】米国特許第７，２０５，７６４号明細書
【特許文献２】米国特許第７，３５１，４０２号明細書
【特許文献３】特許第３６８２０４４号明細書
【特許文献４】特開２０１７−１５４４３号公報
【発明の概要】
【発明が解決しようとする課題】
【０００９】
しかし、特許文献４に開示されている特定のペンタセン誘導体を用いる方法以外にも、より多くの組成物、特に、可溶性であり人体に無害な組成物を高偏極化できることが要望されている。【００１０】
また、従来のトリプレットＤＮＰでは、光源として５９０ｎｍ単色のレーザ光が用いられ、大型で高額なレーザ光発生装置が必要であるという問題がある。この問題は、特許文献１〜４によっては解決することはできない。【００１１】
したがって、本発明は、トリプレットＤＮＰにより、従来よりも多種の組成物の原子核スピンを高偏極化することができる原子核スピンの高偏極化方法及び高偏極化装置を提供することを第１の目的とする。【００１２】
また、本発明は、比較的小型で低価格な、原子核スピンの高偏極化装置を提供することを第２の目的とする。
【課題を解決するための手段】
【００１３】
本発明の第１の局面に係る原子核スピンの高偏極化方法は、一様な静磁場が形成された空間に配置された試料に、光を照射する光照射ステップと、光照射ステップに続き、試料に掃引磁場を印加中に、試料にマイクロ波を照射するマイクロ波照射ステップとを含む。試料は、固体の安息香酸誘導体にペンタセン誘導体が添加された試料であり、光照射ステップ及びマイクロ波照射ステップを繰返した後、試料中の安息香酸誘導体を溶解させて溶液を生成する溶解ステップをさらに含む。【００１４】
これにより、原子核スピンが高偏極化された安息香酸誘導体を含む水溶液を生成することができる。【００１５】
好ましくは、試料は、安息香酸誘導体に可溶な可溶性物質がさらに添加され、溶解ステップにおいて、試料中の安息香酸誘導体及び可溶性物質を溶解させる。【００１６】
これにより、原子核スピンが高偏極化された安息香酸誘導体及び可溶性物質を含む水溶液を生成することができる。【００１７】
より好ましくは、試料中のペンタセン誘導体以外の物質のうち、少なくとも１つの物質は、核スピンがゼロでない炭素、酸素及び窒素の同位体のうち、少なくとも１つの同位体を含む。【００１８】
これにより、電子スピンの偏極を直接、試料中の炭素、酸素又は窒素の同位体の核スピンに移すことができる。【００１９】
さらに好ましくは、原子核スピンの高偏極化方法は、光照射ステップ及びマイクロ波照射ステップを繰返した後、溶解ステップを行なう前に、交差偏極により試料中のペンタセン誘導体以外の物質の水素核スピンの偏極を、同位体の核スピンに移動させる核スピン偏極ステップを、さらに含む。【００２０】
これにより、同位体の核スピンが高偏極化された安息香酸誘導体を含む水溶液を生成することができる。試料が、安息香酸誘導体に可溶な可溶性物質を含む場合には、同位体の核スピンが高偏極化された可溶性物質を含む水溶液を生成することができる。【００２１】
好ましくは、溶解ステップにおいて、弱酸遊離を引き起こす分子又はｐＨ調整用の分子の水溶液により、試料中のペンタセン誘導体以外の物質を溶解させ、溶液を生成する。【００２２】
これにより、原子核スピンが高偏極化された水溶液を容易に生成することができる。【００２３】
より好ましくは、原子核スピンの高偏極化方法は、溶液を固化させて、固体物質を生成する再固化ステップと、交差偏極により、固体物質中の安息香酸誘導体の原子核スピンの偏極を、当該水溶液に含まれる、弱酸遊離を引き起こす分子又はｐＨ調整用の分子の原子核スピンに移動させる核スピン移動ステップと、核スピン移動ステップの後、固体物質を液化させる液化ステップとを、さらに含む。【００２４】
これにより、弱酸遊離を引き起こす分子又はｐＨ調整用の分子に含まれるアルカリ金属等の核スピンが高偏極化された水溶液を生成することができる。【００２５】
本発明の第２の局面に係る原子核スピンの高偏極化方法は、一様な静磁場が形成された空間に配置された試料に、光を照射する光照射ステップと、光照射ステップに続き、試料に掃引磁場を印加中に、試料にマイクロ波を照射するマイクロ波照射ステップとを含む。試料は、安息香酸誘導体と、安息香酸誘導体以外のパートナー分子とを混合して生成した混合物にペンタセン誘導体が添加された試料である。原子核スピンの高偏極化方法は、光照射ステップ及びマイクロ波照射ステップを繰返した後、試料中の安息香酸誘導体及びパートナー分子を溶解させて溶液を生成する溶解ステップをさらに含む。【００２６】
これにより、原子核スピンが高偏極化された安息香酸誘導体以外のパートナー分子を含む水溶液を生成することができる。【００２７】
好ましくは、パートナー分子は、安息香酸誘導体以外のカルボン酸、又は、安息香酸誘導体と塩を形成する塩基であり、混合物は、共結晶状若しくは共晶状の多結晶試料、又は、アモルファス状試料である。【００２８】
これにより、原子核スピンが高偏極化された安息香酸誘導体以外のカルボン酸、又は、安息香酸誘導体と塩を形成する塩基を含む水溶液を生成することができる。【００２９】
より好ましくは、試料は、安息香酸誘導体と安息香酸誘導体以外のパートナー分子との混合物に可溶な可溶性物質がさらに添加され、溶解ステップにおいて、試料中の安息香酸誘導体、パートナー分子、及び可溶性物質を溶解させる。【００３０】
これにより、原子核スピンが高偏極化された安息香酸誘導体、及び、安息香酸誘導体と安息香酸誘導体以外のパートナー分子との混合物に可溶な可溶性物質とを含む水溶液を生成することができる。【００３１】
さらに好ましくは、原子核スピンの高偏極化方法は、溶解ステップにより生成された溶液に、核スピンを高偏極化させる対象である対象物質を溶解させるステップと、対象物質が溶解された溶液を固化させて、固体物質を生成する再固化ステップと、スピン拡散により、固体物質中の安息香酸誘導体の原子核スピンの偏極を、対象物質中の原子核スピンに移動させるターゲット核スピン偏極ステップと、ターゲット核スピン偏極ステップの後、固体物質を液化させる液化ステップとを、さらに含む。【００３２】
これにより、原子核スピンが高偏極化された対象物質を含む水溶液を生成することができる。【００３３】
好ましくは、再固化ステップにおいて、対象物質が溶解された溶液を凍結させることにより固体物質を生成し、液化ステップにおいて、凍結された固体物質を、加熱することにより液化させる。【００３４】
これにより、原子核スピンが高偏極化された対象物質を含む水溶液を容易に生成することができる。【００３５】
より好ましくは、対象物質は、カルボン酸系化合物、アミノ基を有する化合物、糖、生体内分子、又は医薬品分子である。【００３６】
これにより、原子核スピンが高偏極化されたカルボン酸系化合物、アミノ基を有する化合物、糖、生体内分子、又は医薬品分子（例えば、ピルビン酸、フマル酸、尿素、フルクトース、カフェイン及びフルオロウラシル等）を含む水溶液を生成することができる。【００３７】
本発明の第３の局面に係る原子核スピンの高偏極化装置は、トリプレットＤＮＰにより試料中の原子核スピンを高偏極化するための装置である。この原子核スピンの高偏極化装置は、静磁場を形成する磁場形成部と、静磁場が形成された領域に配置された試料に光を照射する光照射部と、静磁場が形成された領域に配置された試料にマイクロ波パルスを照射するマイクロ波照射部と、光照射部及びマイクロ波照射部を制御する制御部とを含む。制御部は、光照射部及びマイクロ波照射部を制御して、トリプレットＤＮＰにより試料中の原子核スピンを高偏極化させ、光照射部は、波長が４００ｎｍ以上６００ｎｍ以下の範囲に含まれる非コヒーレントな光を出力する。【００３８】
これにより、小型で、安価な原子核スピンの高偏極化装置を実現することができる。【００３９】
好ましくは、マイクロ波照射部は、固体高出力増幅器と、静磁場が形成される領域に配置された、空洞共振器とは異なる共振器とを含む。光照射部は、当該共振器の内部に配置された試料に光を照射し、マイクロ波照射部は、当該共振器の内部に配置された試料に、固体高出力増幅器によりマイクロ波パルスを増幅して照射する。【００４０】
より好ましくは、空洞共振器とは異なる共振器は、誘電体共振器又はループギャップ共振器である。【００４１】
これらにより、小型の共振器を用いることができ、より一層小型で、安価な原子核スピンの高偏極化装置を実現することができる。
【発明の効果】
【００４２】
本発明によれば、試料を冷却することなく室温環境において、原子核スピンが高偏極化された安息香酸誘導体を含む水溶液を生成することができる。原子核スピンが高偏極化された安息香酸誘導体を含む水溶液をＮＭＲ分光装置又はＭＲＩ装置で使用することにより、超高感度な化学分析又は超高感度な代謝イメージングが可能になる。【００４３】
また、再固化することにより、高い偏極率で様々な試料を汎用的に高偏極化可能である。例えば、安息香酸誘導体を溶解した水溶液に含まれていた生成物、特にアルカリ金属（ナトリウム、カリウム及びリチウム等）の原子核スピン、又は、後から追加した物質（ピルビン酸、尿素、フルクトース、フマル酸、カフェイン及びフルオロウラシル等）の原子核スピンを高偏極化することができる。したがって、より超高感度な化学分析又は超高感度な代謝イメージングが可能になる。【００４４】
また、化学分析又は医療応用が可能な、室温で原子核スピンを高偏極化することができる、小型で低コストの原子核スピンの高偏極化装置を実現することができる。この高偏極化装置を市販のＮＭＲ分光装置又はＭＲＩ装置に付属させることにより、超高感度な化学分析又は超高感度な代謝イメージングが可能になる。
【図面の簡単な説明】
【００４５】
【図１】本発明の第１の実施の形態に係る原子核スピンの高偏極化装置の概略構成を示すブロック図である。
【図２】図１のキャビティ周辺を示す模式図である。
【図３】図１の原子核スピンの高偏極化装置を用いた原子核スピンの高偏極化方法を示すフローチャートである。
【図４】原子核スピンを高偏極化させる試料の状態を示す模式図である。
【図５】図１の装置で使用されるレーザ光照射、マイクロ波照射、及び掃引磁場印加のシーケンスを示すタイミングチャートである。
【図６】ペンタセンのエネルギー準位を示す図である。
【図７】安息香酸の水素核スピンの偏極率を示すグラフである。
【図８】サリチル酸の水素核スピンの偏極率を示すグラフである。
【図９】安息香酸の溶解前後におけるＮＭＲ信号の変化を示すグラフである。
【図１０】安息香酸の粉末試料及び単結晶試料の水素核スピンの偏極率を示すグラフである。
【図１１】本発明の第２の実施の形態に係る原子スピンの高偏極化方法を示すフローチャートである。
【図１２】原子核スピンを高偏極化させる試料の状態を示す模式図である。
【図１３】本発明の第３の実施の形態に係る原子核スピンの高偏極化装置の概略構成を示すブロック図である。
【図１４】ペンタセン誘導体を示す化学式である。
【発明を実施するための形態】
【００４６】
以下の実施の形態では、同一の部品には同一の参照番号を付してある。それらの名称及び機能も同一である。したがって、それらについての詳細な説明は繰返さない。
【００４７】
（第１の実施の形態）
図１を参照して、本発明の実施の形態に係る原子核スピンの高偏極化装置１００は、主磁場形成部１０２と、主磁場形成部１０２の磁極間に配置されたキャビティ１０４と、キャビティ１０４内に配置された試料１０６に照射するレーザ光を生成するレーザ光源１０８と、試料１０６に照射するマイクロ波を生成するマイクロ波源１１０と、マイクロ波源１１０のマイクロ波を増幅する増幅部１１２とを含む。さらに、原子核スピンの高偏極化装置１００は、キャビティ１０４内に配置された掃引磁場形成部１１４と、掃引磁場形成部１１４に電流を供給する電源部１１６と、ＮＭＲ信号を検出するためのＮＭＲ信号検出部１１８と、ＮＭＲ信号検出部１１８により検出されたＮＭＲ信号を分析するＮＭＲ分析部１２０と、各部を制御する制御部１２２とを含む。
【００４８】
キャビティ１０４及びその周囲の構成の具体例を図２に示す。図２では、キャビティ１０４及び導波管１３４は破断した断面で示す。
【００４９】
再度図１を参照して、主磁場形成部１０２は、電磁石であり、電源（図示せず）から電流が供給され、試料１０６が配置される領域において、方向及び強度が一様な静磁場を形成する。図１では、主磁場形成部１０２は２つ配置されており、これは、２つの対向する磁極を有する電磁石（例えば、対向するヘルムホルツコイル）であることを示している。光励起三重項電子スピンの偏極率は、温度及び磁場強度に比例するわけではないので、主磁場形成部１０２には、超電導磁石等の高磁場を発生させる磁石を使用する必要はない。したがって、主磁場形成部１０２として常電導磁石を用いることができる。
【００５０】
なお、主磁場形成部１０２は、対向する磁極を有しない電磁石、例えば、空芯のソレノイドコイルを用いた電磁石であってもよい。その場合、キャビティ１０４は、ソレノイドコイルの内部に配置される。また、主磁場形成部１０２は永久磁石であってもよい。
【００５１】
キャビティ１０４は、マイクロ波源１１０から増幅部１１２及び導波管１３４（図２）を介して供給されるマイクロ波の共振器として機能する。キャビティ１０４は、磁性材料ではない電気導体で形成されている。キャビティ１０４は、共振周波数が、マイクロ波源１１０から出力されるマイクロ波の周波数と等しくなるように形成されている。キャビティ１０４と導波管１３４との接合部は、供給されるマイクロ波の反射を抑制するために、公知のアイリスで結合されることが好ましい。
【００５２】
図１に示すレーザ光源１０８は、制御部１２２により制御されて、所定のタイミングで所定の期間、所定波長のレーザ光を出力する。出力されたレーザ光は、光伝送部１３０（図２）を介してキャビティ１０４まで伝送される。キャビティ１０４内には、集光部１３２が設けられ、光伝送部１３０から放出されるレーザ光を集光して、試料１０６に照射する。レーザ光源１０８は、例えば、公知のフラッシュランプ励起色素レーザである。光伝送部１３０は、例えば光ファイバであり、集光部１３２は、例えばレンズである。
【００５３】
マイクロ波源１１０は、制御部１２２により制御されて、所定のタイミングで所定の期間、所定周波数のマイクロ波を生成して出力する。マイクロ波源１１０には、公知のマイクロ波発生装置を使用することができる。ＤＮＰでは、マイクロ波パルスを試料に供給するので、マイクロ波源１１０から連続して出力されるマイクロ波から、スイッチ（図示せず）によりパルス波を生成する。
【００５４】
増幅部１１２は、マイクロ波源１１０から出力されたマイクロ波を増幅して出力する。増幅部１１２は、例えば、公知の進行波管増幅器（Ｔｒａｖｅｌｉｎｇ−Ｗａｖｅ−Ｔｕｂｅ  Ａｍｐｌｉｆｉｅｒ、以下、ＴＷＴ増幅器ともいう）を使用する。なお、増幅部１１２の出力側に、公知のサーキュレータを配置して、試料に供給するマイクロ波パルスをモニタしてもよい。
【００５５】
掃引磁場形成部１１４は、後述する掃引磁場を形成するためのものであり、例えば、コイルを使用することができる。電源部１１６は、制御部１２２による制御を受けて、掃引磁場形成部１１４に電流を供給する。掃引磁場は、共鳴周波数に幅のあるスピンの集合を励起するためのものであり、掃引磁場形成部１１４に流れる電流値を時間的に変化させることにより、磁場強度を変化、即ち磁場を掃引させる。掃引磁場の強度は、主磁場の強度よりも十分に小さい。掃引磁場方向は、主磁場と同じ方向又はその逆方向である。図２は、掃引磁場形成部１１４として公知のサドルコイルを使用する場合を示している。図２には、掃引磁場形成部１１４（サドルコイル）を構成する平行な４本の直線部分のうちの２本の直線部分を示している。図２では、主磁場方向が紙面に垂直上方であるので、２本の直線部分に逆向きの電流を供給すれば（図示していない残りの２本の直線部分に関しても同様）、試料１０６が配置された領域に、主磁場と同方向又は逆方向の掃引磁場を形成することができる。
【００５６】
ＮＭＲ信号検出部１１８は、主磁場の周りに歳差運動するスピンによるＮＭＲ信号（例えば、ＦＩＤ信号）を検出するためのコイルである。ＮＭＲ信号検出部１１８を構成するコイルは、主磁場と直交する方向の磁場変化を検出することができる。ＮＭＲ分析部１２０は、制御部１２２による制御を受けて、ＮＭＲ信号検出部１１８を用いてＮＭＲ信号を測定し、公知のＮＭＲ分析を行なう。なお、ＮＭＲ信号検出部１１８の共振周波数は、コンデンサ等の調整部品（図示せず）により、主磁場の強度に応じたＮＭＲ周波数と等しくなるように調整される。
【００５７】
図２を参照して、試料収容部１３６は、試料１０６を保持するためのものであり、供給されるレーザ光及びマイクロ波を透過する物質で形成されている。試料収容部１３６は、例えばガラス管である。試料収容部１３６及びＮＭＲ信号検出部１１８は、キャビティ１０４に対して変位可能に保持されることが好ましい。即ち、試料収容部１３６をキャビティ１０４の外部に移動させ、試料収容部１３６内部に試料１０６を投入することを可能にし、且つ、試料１０６が投入された試料収容部１３６をキャビティ１０４内部の所定位置に配置することができる機構を備えていることが好ましい。同様に、ＮＭＲ信号検出部１１８をキャビティ１０４の外部に移動させること、及び、ＮＭＲ信号検出部１１８をキャビティ１０４の内部の所定位置（試料１０６の周囲）に配置することができる機構を備えていることが好ましい。
【００５８】
溶媒供給部１３８は、固体の試料１０６を溶解させるための溶液（溶媒）を保持するためのものである。図２では、溶媒供給部１３８としてスポイトを示している。溶媒供給部１３８（スポイト）は、保持している溶液を試料１０６に滴下して、試料１０６を含む溶液を生成する。
【００５９】
（原子核スピンの高偏極化）
以下に、図３を参照して、図１の原子核スピンの高偏極化装置１００を用いて、試料１０６の原子核スピンを高偏極化させる方法に関して説明する。
【００６０】
ステップ３００において、処理対象の試料を準備する。具体的には、粉末状の安息香酸（Ｃ６Ｈ５ＣＯＯＨ）にペンタセン（Ｃ２２Ｈ１４）を少量添加し、試料１０６として試料収容部１３６に投入する。このとき、安息香酸分子の間にペンタセンが均一に分散するように攪拌することが好ましい。試料１０６が投入された試料収容部１３６にＮＭＲ信号検出部１１８をセットし、図４の（ａ）に示すように、試料１０６がキャビティ１０４の中央に位置するように、試料収容部１３６をキャビティ１０４に配置する。図４には、便宜上、掃引磁場形成部１１４、ＮＭＲ信号検出部１１８及び導波管１３４等は図示していない。
【００６１】
安息香酸の量は、使用するレーザ光源の能力（出力パワー）に応じて決定することができる。強力なレーザ光を出力できるレーザ光源を使用すれば、より多量の安息香酸を使用することができる。
【００６２】
ステップ３０２において、主磁場形成部１０２に通電して静磁場を形成した状態で、制御部１２２によりレーザ光源１０８、マイクロ波源１１０及び掃引磁場形成部１１４を制御して、試料１０６に対してトリプレットＤＮＰを行なう。具体的には、図５を参照して、掃引磁場形成部１１４により磁場を掃引しながら、期間Ｔ１の間、レーザ光源１０８によりレーザ光を試料１０６に照射し、それに続く期間Ｔ２の間、マイクロ波源１１０によりマイクロ波を試料１０６に照射する。なお、期間Ｔ１の間においては、磁場の掃引は任意である。
【００６３】
ステップ３０４において、制御部１２２は、トリプレットＤＮＰを終了するか否かを判定する。終了と判定された場合、制御はステップ３０６に移行する。そうでなければ、期間Ｔ３が経過した後、制御はステップ３０２に戻る。これにより、図５に示したシーケンスが、期間Ｔ３を１周期として繰返される。
【００６４】
トリプレットＤＮＰの終了の判定は、例えば、予め実行回数Ｎを設定しておき、レーザ光照射及びマイクロ波照射がＮ回実行されたか否かを判定することにより成され得る。また、予め実行時間ΔＴを設定しておき、最初にレーザ光照射及びマイクロ波照射を行なった時から、時間ΔＴが経過したか否かを判定することにより、トリプレットＤＮＰの終了を判定してもよい。
【００６５】
図６にペンタセンのエネルギー準位を示す。ペンタセンにレーザ光を照射すると、ペンタセンの電子は、レーザ光によって励起され、基底状態Ｓ０から励起一重項状態Ｓ１へと遷移する。その後、主として、誘導放射等の光を放射して基底状態に遷移するが、それ以外に、スピン軌道相互作用（項間交差（ＩＳＣ：Ｉｎｔｅｒ  Ｓｙｓｔｅｍ  Ｃｒｏｓｓｉｎｇ））により励起三重項状態（Ｔ３）へと遷移する。この量子的な過程における選択則により、電子スピン分布は、２２％と大きく偏る。励起三重項状態は１００マイクロ秒程度で基底状態Ｓ０へと崩壊（遷移）するが、それまでの間にマイクロ波を照射してパルスＤＮＰを行なう。ペンタセンが磁場中にあれば、図６の右端に示したように、励起三重項状態のレベルは３つのレベルに分離するので、｜−１＞のレベルと｜０＞のレベルとのエネルギー差、又は、｜０＞のレベルと｜＋１＞のレベルとのエネルギー差に応じた周波数のマイクロ波を照射すると、電子スピンの高偏極は、交差偏極等のメカニズムにより、水素の原子核（１Ｈ）スピン（以下、水素核スピンともいう）に移される。マイクロ波を照射する時間は、１μｓ以上であることが好ましい。このとき、ペンタセンの水素核スピンが高偏極され、さらにその高偏極は、安息香酸の水素核スピンに移される。したがって、上記したように、ステップ３０２を繰返すことにより、試料１０６全体の水素核スピンを高偏極化することができる。
【００６６】
トリプレットＤＮＰを終了すると判定されると、ステップ３０６において、制御部１２２は、レーザ光源１０８、マイクロ波源１１０及び電源部１１６を停止させる。
【００６７】
ステップ３０８において、図４の（ｂ）に示すように、溶媒供給部１３８が保持している溶媒１５０を試料１０６に滴下して、試料１０６中の安息香酸を溶解させる。これにより、試料中の安息香酸が溶解した水溶液１５２が生成される。溶媒１５０は、例えば炭酸ナトリウム水溶液であり、その場合、水溶液１５２として安息香酸ナトリウム水溶液が生成される。なお、溶媒１５０を加熱して、常温よりも高い温度にしておいてもよい。ペンタセンは溶解しないので、フィルタ等により、容易に除去することができる。
【００６８】
以上により、水素核スピンが高偏極化された安息香酸を含む水溶液（安息香酸ナトリウム水溶液）を生成することができる。この水溶液を公知のＮＭＲ分光装置及びＭＲＩ装置で使用することにより、超高感度ＮＭＲ分光及び超高感度ＭＲＩを実現することができる。安息香酸は人体に無害であり、体内で代謝されるので、人体に有害なペンタセンを含まない、安息香酸を含む水溶液は、人体を対象とするＭＲＩ検査等において安全に使用することができる。
【００６９】
上記では、トリプレットＤＮＰの終了を、予め設定された繰返し回数Ｎ、又は、予め設定された実行時間ΔＴを用いて判定する場合を説明したが、これに限定されない。例えば、トリプレットＤＮＰを繰返し実行しながら、ＮＭＲ信号検出部１１８によりＮＭＲ信号を観測し、所定強度のＮＭＲ信号が観測された場合に、トリプレットＤＮＰを終了すると判定してもよい。
【００７０】
上記では、安息香酸を溶解する液体を、粉末の安息香酸に滴下する場合を説明したが、これに限定されない。例えば、安息香酸を溶解する液体を、粉末の安息香酸にスプレーなどで噴霧してもよい。また、容器に収容された安息香酸を溶解する液体中に、粉末の安息香酸を投入してもよい。
【００７１】
上記では、安息香酸にペンタセンを添加した試料を用いる場合を説明したが、これに限定されない。安息香酸に代えて安息香酸の誘導体を用いてもよく、ペンタセンに代えてペンタセンの誘導体を用いてもよい。即ち、「安息香酸誘導体」に「ペンタセン誘導体」を添加した試料を用いることができる。ここで、安息香酸誘導体とは、安息香酸、及び、安息香酸のベンゼン環の任意の１つ以上の水素が、ハロゲン、アルカリ金属、ヒドロキシ基、カルボキシ基、フェニル基、又はアミノ基等で置換されたものを意味する。
【００７２】
また、ペンタセン誘導体とは、ペンタセン、及び、特許文献４に開示されている分子、即ち、図１４に示す化学式で表されるものを意味する。
【００７３】
図１４の化学式中、Ｒはそれぞれ独立して、水素原子（Ｈ）、重水素原子（Ｄ）、又は、酸素原子、硫黄原子及びケイ素原子からなる群より選択される少なくとも１種の原子を含んでいてもよい炭素数１〜２０の炭化水素基を表し、Ｒの少なくとも１つは、酸素原子、硫黄原子及びケイ素原子からなる群より選択される少なくとも１種の原子を含んでいてもよい炭素数１〜２０の炭化水素基である。
【００７４】
上記では、安息香酸誘導体の水素核スピンを高偏極化する場合を説明したが、それ以外の核スピンを高偏極化することもできる。例えば、試料に、核スピンがゼロでない炭素１３（１３Ｃ）を含む安息香酸誘導体を使用し、ステップ３０８を実行する前に、公知の交差偏極により、水素核スピンから炭素１３核スピンに偏極を移動させれば、ステップ３０８を実行することにより、炭素１３核スピンが高偏極化された安息香酸ナトリウム水溶液を生成することができる。交差偏極により、第１核スピン及び第２核スピン（ここでは、水素核スピン及び炭素１３核スピン）の間で偏極を移動させる場合、試料１０６を含む試料収容部１３６を、主磁場形成部１０２により形成される磁場強度よりも高磁場の環境に移動させ、試料１０６に印加されている静磁場に応じて、第１核スピン及び第２核スピンのそれぞれの共鳴周波数のマイクロ波（Ｈａｒｔｍａｎｎ−Ｈａｈｎマッチング条件を満たす周波数のマイクロ波）を照射する（以下、交差偏極照射ともいう）。
【００７５】
また、炭素１３以外の、核スピンがゼロでない炭素の同位体を含む安息香酸誘導体を使用してもよく、核スピンがゼロでない酸素又は窒素等の同位体を含む安息香酸誘導体を使用してもよい。例えば、酸素１７（１７Ｏ）又は窒素１５（１５Ｎ）を含む安息香酸誘導体を使用してもよい。その場合にも上記と同様に、ステップ３０８を実行する前に交差偏極により、同位体の核スピンを高偏極化させることができる。なお、これらの同位体は、安定でなく、短い半減期で崩壊するものであってもよい。
【００７６】
また、ステップ３００で、安息香酸誘導体にペンタセン誘導体を添加したものに、さらに、安息香酸誘導体に可溶（安息香酸誘導体を融点以上に加熱し液化させた場合）な物質を添加したものを試料として用いてもよい。安息香酸誘導体に可溶な物質は、ゼロでない核スピンを有しており、高偏極化させる対象物質（以下、ターゲット物質ともいう）であり、例えばプロトカテク酸である。ステップ３０２でのトリプレットＤＮＰにより、ターゲット物質の水素核スピンは、安息香酸誘導体の水素核スピンと同様に高偏極化される。その後、ステップ３０８により、水素核スピンが高偏極化された安息香酸誘導体及びターゲット物質を含む水溶液を生成することができる。
【００７７】
また、試料は、複数種類の安息香酸誘導体を含んでいてもよい。また、試料は、複数種類のペンタセン誘導体が添加されたものであっても、複数種類のターゲット物質が添加されたものであってもよい。
【００７８】
なお、試料に、核スピンがゼロでない炭素、酸素又は窒素等の同位体を含む安息香酸誘導体を使用する場合には、ステップ３０２でのトリプレットＤＮＰにより、ペンタセン誘導体の電子スピンの高偏極を、上記のように水素核スピンを介さずに、直接、安息香酸誘導体に含まれるその同位体の核スピンに移すことも可能である。例えば、炭素１３を含む安息香酸誘導体を使用する場合、ペンタセン誘導体の電子スピンの高偏極が、直接、炭素１３核スピンに移る現象も発生し得る。
【００７９】
同様に、試料に、核スピンがゼロでない炭素、酸素又は窒素等の同位体を含むターゲット物質を添加した場合には、ペンタセン誘導体の電子スピンの高偏極を、直接、ターゲット物質に含まれるその同位体の核スピンに移すことも可能である。
【００８０】
上記では、安息香酸誘導体を含む試料を使用する場合を説明したが、これに限定されない。本願発明者は、例えば、安息香酸誘導体と、安息香酸誘導体以外のパートナー分子とを、所定の割合で混合して生成した混合物（特に、共結晶状の多結晶試料等）は、安息香酸単体試料と同程度の高偏極化が可能であることを見出した。ここで、「パートナー分子」とは、安息香酸誘導体とは別のカルボン酸、又は、安息香酸誘導体と塩を形成する塩基等の物質を意味する。即ち、試料１０６として、そのような混合物（共結晶状の多結晶試料等）を使用することができる。例えば、安息香酸と、ニコチン酸（Ｃ５Ｈ５ＮＣＯＯＨ）又はサリチル酸（Ｃ６Ｈ４（ＯＨ）ＣＯＯＨ）とを１：１（モル比）で混合して生成した共結晶状若しくは共晶状の多結晶試料、又は、アモルファス状試料を使用して、上記したようにトリプレットＤＮＰを実施した後、試料を溶解させることにより、生体内で重要な働きをする分子であるニコチン酸又はサリチル酸に含まれる水素核スピンを高偏極化することができる。
【００８１】
なお、安息香酸誘導体と、安息香酸誘導体以外のパートナー分子とを混合させる割合は、１：１のモル比に限定されず、任意である。例えば、安息香酸誘導体とパートナー分子とを、１０：１から１：３の範囲のモル比で混和させたものを使用することができる。
【００８２】
従来、ペンタセンを使用してニコチン酸及びサリチル酸を高偏極化することはできなかった。トリプレットＤＮＰを行なうにはまずペンタセンを溶かし込めることが最低条件である。さらに、溶かし込んだとしても、結晶構造によってはペンタセンの光特性及びスピン特性が大きくゆがめられてしまい、トリプレットＤＮＰの効率が著しく低い場合もある。ニコチン酸単体では、融解時はペンタセンを溶かし込むことができるが、凝固する際ペンタセンを析出する。サリチル酸単体では、ペンタセンを固体状態で溶かし込むことができるが、吸収効率が低くなってしまいトリプレットＤＮＰで高効率な高偏極化ができない。
【実施例１】
【００８３】
以下に、実験結果を示し、本発明の有効性を示す。図１に示した構成で実験を行なった。【００８４】
レーザ光源１０８には、フラッシュランプ励起色素レーザを用い、パルス幅１マイクロ秒（図５のＴ１が１μｓ）、波長約５９０ｎｍ、繰返し周波数５０Ｈｚ（図５のＴ３が２０ｍｓ）、光出力１０ｍＪのレーザ光を試料に照射した。主磁場形成部１０２には、０．４Ｔの静磁場を形成する電磁石を用いた。マイクロ波源１１０には、１２ＧＨｚのマイクロ波を出力するものを用いた。マイクロ波源１１０から出力される１２ＧＨｚの連続波を、スイッチでパルス化して１０マイクロ秒のパルス（図５のＴ２が１０μｓ）を生成し、ＴＷＴ増幅器でピーク電力約１０Ｗまで増幅し、キャビティ１０４に入力した。キャビティ１０４には、ＴＥ１０２モードの共振周波数が１２ＧＨｚとなるものを用いた。キャビティと導波管とはアイリスで結合し、クリティカルカップリング（無反射状態）となるように調節した。マイクロ波を照射する１０μｓの間、磁場を線形に掃引した。磁場掃引のための信号はファンクションジェネレータで発生させ、掃引磁場の振幅（磁場強度）約１０ｍＴになるようにオペアンプで増幅した信号を掃引磁場形成部１１４に入力した。【００８５】
トリプレットＤＮＰで高偏極化した後に、核スピン偏極率等をＮＭＲ信号で確認するために、ＮＭＲ分光計を含めＮＭＲ実験のための装置（ＮＭＲ信号検出部１１８及びＮＭＲ分析部１２０）を使用した。ＮＭＲ信号検出部１１８のＮＭＲコイルは外部コンデンサで１７ＭＨｚに共振させた。また、ＮＭＲ分光計を制御部１２２として使用し、マイクロ波スイッチ、ファンクションジェネレータ、及びフラッシュランプ励起色素レーザを作動させるタイミングを制御した。【００８６】
上記の条件で、粉末の安息香酸（約０．５ｍｇ）に、様々な濃度でペンタセンを添加して作製した粉末試料を用いて実験した結果を図７に示す。図７において、三角形はペンタセン濃度０．０６ｍｏｌ％、四角形はペンタセン濃度０．０４ｍｏｌ％、ひし形はペンタセン濃度０．０２ｍｏｌ％、及び、逆三角はペンタセン濃度０．０１ｍｏｌ％の試料の測定結果を表す。丸はカルボキシ基を重水素化（Ｈを重水素Ｄで置換）した安息香酸（Ｃ６Ｈ５ＣＯＯＤ）に、０．０４ｍｏｌ％重水素ペンタセンをドープした試料の測定結果を表す。ここで、ｍｏｌ％とは、安息香酸のモル数に対するペンタセンのモル数の割合（％）を意味する。【００８７】
図７から分かるように、ペンタセン濃度０．０４ｍｏｌ％の試料で、偏極率０．４％を達成できた。四角形、菱形、及び逆三角形のそれぞれに対応するグラフから分かるように、最終到達偏極率は、概ねペンタセン濃度に比例する。但し、ペンタセン濃度０．０６ｍｏｌ％（三角形に対応するグラフ）の試料の最終到達偏極率は、ペンタセン濃度０．０４ｍｏｌ％（四角形に対応するグラフ）の試料と同じである。これは、ペンタセン濃度０．０６ｍｏｌ％の試料では、ペンタセンが濃すぎて、試料の発熱によるスピン格子緩和の促進、又は、試料の質の低下等の原因によるものと考えられる。【００８８】
安息香酸粉末の水素核スピン格子緩和時間は４分であった。固体中ではカルボキシ基の水素はモビリティが高く、核スピン格子緩和の原因になっている。安息香酸のカルボキシ基だけを部分的重水素置換した場合の縦緩和時間Ｔ１を測定したところ５分であった。さらに、ペンタセンをも併せて重水素化した場合、約１０分間の室温下トリプレットＤＮＰで、偏極率０．８％（丸に対応するグラフ）を達成できた。【００８９】
この偏極率は、通常ＭＲＩが行なわれる磁場強度３Ｔにおける、室温での熱平衡偏極率の８１０倍であり、ＤＮＰの熱限界である６６０倍を超えている。
【実施例２】
【００９０】
実施例１と同様の構成の装置を用い、重水素化安息香酸（全てのＨを重水素Ｄで置換）、サリチル酸、及びペンタセンを１：１：０．０４（モル比）で混合して生成した粉末試料を用いて実験した結果を図８に示す。図８の縦軸は水素核スピン（１Ｈ）の偏極率を表す。使用した重水素化安息香酸には水素核スピン（１Ｈ）がないため、図８の偏極率はサリチル酸の水素核スピン（１Ｈ）の偏極率である。達成した水素核スピン偏極率は０．８％であり、混合したパートナー分子（サリチル酸）でも安息香酸単体と同程度の偏極率を得ることができた。
【実施例３】
【００９１】
実施例１と同様の構成の装置及び試料を用い、試料を高偏極化後に溶解してＮＭＲ信号を観測した。具体的には、ガラス管に粉末試料（ペンタセンを添加した安息香酸）を入れて、１０分間トリプレットＤＮＰを行なった後、１秒間隔で９°パルスを印加して磁化を測定した。そして、測定開始から約１５秒後に、約８０℃の炭酸ナトリウム水溶液（濃度１Ｍ（モーラー））を、ガラス管に注入して試料を溶解させた。【００９２】
得られたＮＭＲ信号（ＦＩＤ信号をフーリエ変換した信号）を図９に示す。ｔ＝１５（秒）までは固体状態なので双極子緩和の影響で広い幅のスペクトルであるのが、炭酸ナトリウム水溶液の注入後、液体状態特有のモーショナルナローイングによる鋭いピークへと変化している。ｔ＝１５（秒）時の信号の面積強度と、ｔ＝１６（秒）時の信号の面積強度とはほとんど変わらず、ほとんどの核スピンが偏極率を保持したまま、安息香酸が溶解していることが分かる。液体状態ではスピン格子緩和時間が数秒程度となり、その時定数で信号は速やかに減衰している。これにより、安息香酸の核スピンの高偏極が保持されることが確認された。
【実施例４】
【００９３】
実施例１と同様の構成の装置を用い、実施例１よりも高い偏極率を得ることができる試料を用いて、実験を行なった。具体的には、粉末ではなくバルクの安息香酸（約０．５ｍｇの単結晶１個）にペンタセンを添加して、試料とした。【００９４】
測定結果を図１０に示す。ペンタセン濃度は、いずれも０．０４ｍｏｌ％である。三角形に対応する２つのグラフは、いずれも粉末の安息香酸を用いた試料の測定結果を表しており、上側のグラフは、重水素化ペンタセンを部分的に重水素化された安息香酸に添加した試料の測定結果であり、下側のグラフは、ペンタセンも安息香酸も重水素化されていない試料の測定結果である。丸に対応する２つのグラフは、いずれも単結晶の安息香酸を用いた試料の測定結果を表しており、上側のグラフは、重水素化ペンタセンを部分的に重水素化された安息香酸に添加した試料の測定結果であり、下側のグラフは、ペンタセンも安息香酸も重水素化されていない試料の測定結果である。【００９５】
粉末の安息香酸では、ゼロ磁場分裂相互作用の異方性によって広いＥＳＲスペクトルとなり、三重項フラクションが非常に低いものとなるために、偏極率が高くならない。それに対して、バルクの単結晶を使用することにより、図１０の最も上側のグラフで示されているように、三重項フラクションの割合が増えたことによる効果に加えて、砕かないことにより結晶の質が良いためＴ１が長くなったことによって、偏極率２．４％を達成できた。これは、通常ＭＲＩが行なわれる磁場強度３Ｔにおける、室温での熱平衡偏極率の２５００倍である。【００９６】
バルクの単結晶は溶けるのに時間がかかってしまう。それを改善するには、例えば、複数枚の薄膜状（単結晶）に試料を成形すればよい。表面積が増えるので、高速に溶解させることができる。【００９７】
（第２の実施の形態）
第１の実施の形態では、安息香酸誘導体の水素原子核スピンを高偏極化する場合を説明したが、第２の実施の形態では、さらに汎用的に様々な試料の原子核スピンを高偏極化する。【００９８】
本実施の形態においても、第１の実施の形態と同様に、図１に示した原子核スピンの高偏極化装置１００を使用する。本実施の形態に係る原子核スピンの高偏極化方法を図１１に示す。図１１のフローチャートは、図３のフローチャートに、ステップ３２０〜３３２が追加されたものである。ステップ３００〜３０８の処理は、第１の実施の形態として上記した通りであり、説明を繰返さない。以下においては、主として、新たなステップ３２０〜３３２に関して説明する。【００９９】
本実施の形態では、第１の実施の形態と同様に、処理対象の試料（ペンタセン誘導体を少量添加した、粉末状の安息香酸誘導体）を準備し、トリプレットＤＮＰを実行する（ステップ３０２）。但し、試料中の安息香酸誘導体は、炭素１３を含むものである。【０１００】
その後、ステップ３２０において、交差偏極照射により、高偏極化している水素核スピンから、炭素１３核スピンに偏極を移動させる。交差偏極照射では、上記したように、印加されている静磁場に応じて、水素核スピン及び炭素１３核スピンのそれぞれの共鳴周波数のマイクロ波を照射する。【０１０１】
ステップ３０８により試料を溶解させて、炭素１３核スピンが高偏極化された安息香酸誘導体を含む水溶液（具体的には、安息香酸ナトリウム水溶液）を生成した後、ステップ３２２において、現在の水溶液に、別の高偏極化させる対象物質（ターゲット物質）を追加するか否かに応じて、処理を分岐する。追加しない場合には、ステップ３２４に移行する。追加する場合には、ステップ３３０に移行する。【０１０２】
ステップ３２４において、ステップ３０８により得られた水溶液（液体）を再固化させる。具体的には、例えば、図１２の（ａ）に示すように、試料収容部１３６をキャビティ１０４から取り出して液体窒素１５４に投入し、冷却する。これにより、試料収容部１３６内の安息香酸ナトリウム水溶液は凍結し、固体になる。【０１０３】
ステップ３２６において、凍結している安息香酸ナトリウム水溶液に交差偏極照射を行ない、高偏極化している炭素１３核スピンから、ナトリウム核スピンに偏極を移動させる。【０１０４】
ステップ３２８において、試料収容部１３６内の固化している安息香酸ナトリウム水溶液を、液化させる。具体的には、例えば、図１２の（ｂ）に示すように、試料収容部１３６をキャビティ１０４から取り出してヒータ１５６により加熱して、融解させる。これにより、高偏極化しているナトリウムイオンを含む安息香酸ナトリウム水溶液（液体）を得ることができる。【０１０５】
ターゲットを追加する場合には、ステップ３３０において、ターゲット物質を、試料収容部１３６内の安息香酸ナトリウム水溶液に投入する。例えば、炭素１３を含むピルビン酸（ＣＨ３ＣＯＣＯＯＨ）を追加する。【０１０６】
ステップ３３２において、ターゲットが追加された水溶液を、ステップ３２４と同様に再固化させる。これにより、安息香酸誘導体とターゲット（例えば、ピルビン酸）とが近接して固定される。固定された状態では、核スピン偏極は分子を超えて拡散（スピン拡散）するので、安息香酸誘導体の炭素１３核スピンの偏極が、ピルビン酸の炭素１３核スピンに移り、炭素１３核スピンが高偏極化されたピルビン酸が生成される。【０１０７】
上記と同様に、ステップ３２８において、試料収容部１３６内の固化している、ターゲットを含む安息香酸ナトリウム水溶液を融解させる。これにより、炭素１３核スピンが高偏極化しているピルビン酸を含む水溶液を得ることができる。【０１０８】
以上により、高偏極化しているナトリウムイオン、又は、炭素１３核スピンが高偏極化しているターゲットを含む水溶液を得ることができる。得られた水溶液は、ＮＭＲ分光装置又はＭＲＩ装置等において使用され得る。【０１０９】
特に、ターゲット物質が、安息香酸誘導体に難溶な物質であっても、その炭素１３核スピンを高偏極化させることができる。【０１１０】
上記では、粉末の安息香酸誘導体を溶解するために炭酸ナトリウム水溶液を使用する場合を説明したが、これに限定されない。例えば、リチウムイオン、又は、カリウムイオンを含むアルカリ金属炭酸塩等の弱酸遊離を引き起こす分子、又は、ｐＨを調整するための分子を含む水溶液により、粉末の安息香酸誘導体を溶解させてもよい。弱酸遊離を引き起こす分子として、炭酸ナトリウム、炭酸カリウム、及び炭酸リチウム等の炭酸塩は、弱酸の遊離により安息香酸を水に溶けやすい安息香酸塩に変換し、溶解させる。ｐＨを調整するための分子は、例えばアンモニア分子等である。その場合、ステップ３２６により、高偏極化している炭素１３核スピンから、リチウム核スピン又はカリウム核スピンに偏極を移動させることができ、高偏極化しているリチウムイオン又はカリウムイオンを含む水溶液を得ることができる。【０１１１】
また、ターゲットは、ピルビン酸に限定されず、１つ以上のカルボキシ基を有するカルボン酸系化合物、アミノ基を有する化合物、糖、生体内分子、及び医薬品分子等、種々の物質をターゲットとして使用することができる。生体内分子は、例えばピルビン酸及び尿素等であるが、これらに限定されず、人及び動物を含む生体内で合成、分解等される分子であればよい。医薬品分子は、例えばカフェイン及びフルオロウラシル等であるが、これらに限定されず、人又は動物の疾病の診断、治療及び予防等のために用いられる薬品に含まれる分子であればよい。例えば、ターゲットとして、フマル酸（ジカルボン酸）、尿素、又はフルクトース等を使用し、高偏極化させることができる。それらは、従来のＤｉｓｓｏｌｕｔｉｏｎ  ＤＮＰ法で使用されたことがある代表的なものであり、従来、ペンタセンを用いたトリプレットＤＮＰ法では高偏極化できなかったものである。【０１１２】
また、核スピンがゼロでない原子を含む任意のターゲットを使用することができる。そのようなターゲットを追加した場合、水溶液の再固化（ステップ３３２）の後、融解させる（ステップ３２８）前に、ステップ３２６と同様に、交差偏極照射を行なう。照射するマイクロ波周波数を、ターゲットの核スピンがゼロでない原子に応じた共鳴周波数に設定することにより、高偏極化している炭素１３核スピンから、ターゲットに含まれる原子核スピンに偏極を移動させることができる。これにより、任意の試料の原子核スピンの高偏極化が可能である。【０１１３】
上記では、炭素１３を含む安息香酸誘導体を使用し、ステップ３２０（交差偏極照射）により、水素核スピンの偏極を炭素１３核スピンに移動させる場合を説明したが、これに限定されない。ステップ３２０の処理を行なわず、水素核スピンを高偏極化させたまま、ステップ３２６（交差偏極照射）により、水素核スピンの偏極をナトリウム核スピンに移動させる、又は、ステップ３３２（スピン拡散）により、水素核スピンの偏極をターゲット（例えば、ピルビン酸）の水素核スピンに移動させてもよい。この場合、安息香酸誘導体は炭素１３を含まなくてもよい。また、核スピンがゼロでない炭素、酸素又は窒素等の同位体を含む安息香酸誘導体を使用してもよい。例えば、酸素１７又は窒素１５を含む安息香酸誘導体を使用し、ステップ３２０（交差偏極照射）により、水素核スピンの偏極を酸素１７又は窒素１５の核スピンに移動させてもよい。【０１１４】
上記では、ステップ３２４又はステップ３３２において、安息香酸誘導体を含む水溶液を冷却して固化させる場合を説明したが、これに限定されない。例えば、再沈殿等の化学的な方法を用いて固化させてもよい。再沈殿された固体物質は、ステップ３２８において、化学的な方法を用いて液化することができる。【０１１５】
（第３の実施の形態）
第１の実施の形態では、単色レーザ光を照射し、導波管及びキャビティによりマイクロ波を照射する場合を説明したが、第３の実施の形態では、これらの構成を変更し、装置を小型化する。【０１１６】
図１３を参照して、本実施の形態に係る原子核スピンの高偏極化装置２００は、図１の原子核スピンの高偏極化装置１００において、レーザ光源１０８、キャビティ１０４及び増幅部１１２をそれぞれフラッシュランプ２０２、誘電体共振器２０４及びＳＳＰＡ２０６で代替したものである。主磁場形成部１０２には、永久磁石を使用する。【０１１７】
フラッシュランプ２０２は、極めて短時間だけ発光する公知のフラッシュランプであり、例えば、キセノンフラッシュランプ等を使用することができる。フラッシュランプから出力される光は、レーザ光のようにコヒーレントな光ではなく、非コヒーレントな光であり、その波長は所定範囲の幅を有する。誘電体共振器２０４は、誘電体を用いた公知の共振器である。図１の原子核スピンの高偏極化装置１００で用いたキャビティ（空洞共振器）は、金属壁で構成されており、電磁波が金属壁で完全反射されることにより共振する。誘電体共振器では、誘電体内の電磁波が誘電体と空気との境界で全反射されることにより共振する。ＳＳＰＡ２０６は、半導体を用いた高出力増幅器であり、公知の固体高出力増幅器（Ｓｏｌｉｄ  Ｓｔａｔｅ  Ｐｏｗｅｒ  Ａｍｐｌｉｆｉｅｒ）である。【０１１８】
図１の原子核スピンの高偏極化装置１００では、光源に色素レーザを用いたが、レーザ光以外の光によってもトリプレットＤＮＰが可能であることが確認された。具体的には、集光した部分で光強度が１００ｍＷのフラッシュランプを用いて、パルス幅を約１０マイクロ秒、繰返し周波数を６０Ｈｚに設定して、図５に示したパルスシーケンスにより、実施例１と同様の試料に集光した光を照射してトリプレットＤＮＰ実験を行なった。その結果、０．１ｍｇの試料を色素レーザと同程度に高偏極化することに成功した。【０１１９】
したがって、非常に安価で小型な光源、例えばフラッシュランプを使用しても高効率にペンタセン誘導体の電子スピンを高偏極化でき、第１及び第２の実施の形態として上記したように、ペンタセン誘導体を添加した安息香酸誘導体を始め、種々の物質の原子核スピンを高偏極化できる。【０１２０】
なお、ＤＮＰは光ポンピングのように光学遷移の選択則に依るものではないので、励起光のスペクトルにも敏感ではない。実際に、主磁場及び掃引磁場等の条件を同じにして、色素レーザの波長をペンタセンの吸収効率の低い５７０ｎｍに設定してトリプレットＤＮＰを行なった結果、最終到達核スピン偏極率は、ペンタセンの吸収効率が最も高い波長５９０ｎｍを使用した場合とほぼ同じ値であった。即ち、低い吸収効率の波長でもトリプレットＤＮＰを行なうには十分であることが分かった。ペンタセンは、波長が４００ｎｍ以上６００ｎｍ以下の範囲の光を吸収することができ、キセノンフラッシュランプは、これと同じ波長範囲に、総光量の三分の一を含む。したがって、キセノンフラッシュランプは、トリプレットＤＮＰを行なうのに適していると言える。なお、フラッシュランプは、４００ｎｍ以上６００ｎｍ以下の全範囲にわたる波長を出力するものが好ましいが、４００ｎｍ以上６００ｎｍ以下の範囲の一部の範囲を出力するフラッシュランプであっても、ペンタセンを用いたトリプレットＤＮＰで使用可能である。【０１２１】
したがって、ペンタセンを添加した試料に対してトリプレットＤＮＰを実施するための光源は、フラッシュランプに限定されない。４００ｎｍ以上６００ｎｍ以下の範囲に含まれる波長の非コヒーレントな光を放射し、発光時間を１μｓ程度で制御可能な光源であればよく、種々の公知の光源を使用することができ、より小型の光源を採用することが可能である。例えば、ＬＥＤを光源として使用することができる。【０１２２】
主磁場形成部１０２に関しては、希土類磁石等の強力な磁石材料を使用することにより、０．４Ｔ程度の磁場を永久磁石で実現することができるので、永久磁石を使用することにより、小型化できる。【０１２３】
試料１０６を収容する共振器として、誘電体共振器２０４を採用することにより、共振器の小型化を実現することができる。これにより、主磁場が形成される空間を小さくすることができ、対向する磁石の極板間隔を狭くすることができる。磁場の強度は、磁極から離れると急激に減少するので、対向する磁極間隔を小さくできれば、その領域に形成される磁場強度をより大きくすることができる。したがって、同じ強度の磁場を形成する場合には、磁石をより小型化できる。【０１２４】
なお、誘電体共振器２０４として、電気導体を含まないものを使用する場合には、誘電体共振器２０４の外部に掃引磁場形成部１１４を配置することができる。誘電体共振器２０４として、電気導体を含むもの（例えば、誘電体の一部に金属板が配置されたもの）を使用する場合には、図２と同様に、誘電体共振器２０４内部に掃引磁場形成部１１４を配置することが好ましい。【０１２５】
誘電体共振器２０４を用いる場合、ＮＭＲ信号検出部１１８から出力されるマイクロ波の増幅器として、固体高出力増幅器（ＳＳＰＡ）を用いることができる。ＴＷＴ増幅器では電子管が使用されるのに対して、固体高出力増幅器では半導体が使用され、固体高出力増幅器はＴＷＴ増幅器よりも小型である。入力電力磁場変換効率を高効率化することにより、マイクロ波の増幅器を、ＴＷＴから、より小型な固体高出力増幅器で代替できる。【０１２６】
図１３の原子核スピンの高偏極化装置２００を用いて、図３及び図１１と同様に、トリプレットＤＮＰによる原子核スピンの高偏極化方法を実施することができる。その内容は、第１及び第２の実施の形態として上記したものと同じであり、説明を繰返さない。【０１２７】
上記では、誘電体共振器を使用する場合を説明したが、これに限定されない。空洞共振器よりも小型の共振器であればよく、そのような共振器を用いることにより、対向する磁極間隔を小さくできる。例えば、公知のループギャップ共振器を使用することができる。【０１２８】
以上、実施の形態を説明することにより本発明を説明したが、上記した実施の形態は例示であって、本発明は上記した実施の形態のみに制限されるわけではない。本発明の範囲は、発明の詳細な説明の記載を参酌した上で、請求の範囲の各請求項によって示され、そこに記載された文言と均等の意味及び範囲内での全ての変更を含む。
【産業上の利用可能性】
【０１２９】
本発明によれば、試料を冷却することなく室温環境において、原子核スピンが高偏極化された安息香酸誘導体を含む水溶液を生成することができる。原子核スピンが高偏極化された安息香酸誘導体を含む水溶液をＮＭＲ分光装置又はＭＲＩ装置で使用することにより、超高感度な化学分析又は超高感度な代謝イメージングが可能になる。
【符号の説明】
【０１３０】
１００、２００    原子核スピンの高偏極化装置
１０２    主磁場形成部
１０４    キャビティ
１０６    試料
１０８    レーザ光源
１１０    マイクロ波源
１１２    増幅部
１１４    掃引磁場形成部
１１６    電源部
１１８    ＮＭＲ信号検出部
１２０    ＮＭＲ分析部
１２２    制御部
１３０    光伝送部
１３２    集光部
１３４    導波管
１３６    試料収容部
１３８    溶媒供給部
１５０    溶媒
１５２    水溶液
１５４    液体窒素
１５６    ヒータ
２０２    フラッシュランプ
２０４    誘電体共振器
２０６    ＳＳＰＡ
【図１】
2019039477.tif 000003
【図２】
2019039477.tif 000004
【図３】
2019039477.tif 000005
【図４】
2019039477.tif 000006
【図５】
2019039477.tif 000007
【図６】
2019039477.tif 000008
【図７】
2019039477.tif 000009
【図８】
2019039477.tif 000010
【図９】
2019039477.tif 000011
【図１０】
2019039477.tif 000012
【図１１】
2019039477.tif 000013
【図１２】
2019039477.tif 000014
【図１３】
2019039477.tif 000015
【図１４】
2019039477.tif 000016
【国際調査報告】
2019039477.tif 000017
2019039477.tif 000018
2019039477.tif 000019